(57)【要約】【課題】従来、車軸耕耘型の耕耘機に移動用車輪を取り付ける場合は、サイドディスクの中心に筒軸を構成し、前記車輪の支持軸を挿通して固定していたため、同軸内に泥土が進入した場合、泥落とし作業が煩わしいものであった。また前記筒軸に泥土進入防止用のキャップなどを設けると、紛失する恐れがある。【解決手段】耕耘機のサイドディスク３の外周縁部に貫通穴５…を等分配置する。一方移動用車輪４には、前記複数の貫通穴５…に対し挿通する固定ピン６と、この固定ピン６を付勢するスプリング７を備える。そして、前記サイドディスク３を前記固定ピン６に係止し車輪４に挟んで固定する。【選択図】          図１
2004201621.tif 000002
【特許請求の範囲】
【請求項１】
エンジン（Ｅ）の回転動力を耕耘爪（１）を有する耕耘軸（２）に伝達し、この耕耘軸（２）の左右端に前記耕耘爪（１）の回転径よりも小径の円盤状のサイドディスク（３）を装着すると共に、このサイドディスク（３）の外側に前記耕耘爪（１）の回転径よりも大径の移動用車輪（４）を取り付ける歩行型耕耘機において、前記サイドディスク（３）に複数の貫通穴（５…）を円周方向に配置し、前記移動用車輪（４）を、前記複数の貫通穴（５…）に対しピン部材（６）を挿通させて固定したことを特徴とする歩行型耕耘機の車輪取付構造。
【請求項２】
前記ピン部材（６）には、前記サイドディスク（３）を移動用車輪（４）側へ付勢する付勢手段（７）を備えたことを特徴とする請求項１に記載の歩行型耕耘機の車輪取付構造。
【請求項３】
前記ピン部材（６）及び付勢手段（７）は、移動用車輪と共に一体的に構成したことを特徴とする請求項２に記載の歩行型耕耘機の車輪取付構造。
【発明の詳細な説明】
【０００１】
【発明の属する技術分野】
本発明は、耕耘軸の左右端に移動用の車輪を取り付ける歩行型耕耘機に関する。
【０００２】
【従来技術】
従来、特開２００１−２５１９０１号公報に示されるように、エンジンの回転動力を耕耘爪を有する耕耘軸に伝達し、この耕耘軸の左右端に前記耕耘爪の回転径よりも小径のサイドディスクを装着すると共に、このサイドディスクの外側に前記耕耘爪の回転径よりも大径の移動車輪を取り付ける歩行型耕耘機（管理機）が知られている。
【０００３】
そして上記公報による歩行型耕耘機では、サイドディスクの中心に軸穴を設け、この軸穴に移動車輪の支軸（符号４０）を挿通して、両部材をピンによって貫通させて固定する構成となっている。
【０００４】
【特許文献１】
特開２００１−２５１９０１
【０００５】
【発明が解決しようとする課題】
しかしながら、前記公報による歩行型耕耘機では、圃場を耕耘している間に、前記耕耘軸内に泥土が進入し、前記支軸を挿通する際に、泥落し操作が必要となり車輪の取付操作が煩わしいもので有った。また前記軸に泥土進入防止用のキャップなどを設けると、紛失する恐れがある。
【０００６】
【課題を解決するための手段】
この発明は前記した問題点に鑑みて、次のような技術的手段を講じた。
即ち、請求項１の発明では、エンジン（Ｅ）の回転動力を耕耘爪（１）を有する耕耘軸（２）に伝達し、この耕耘軸（２）の左右端に前記耕耘爪（１）の回転径よりも小径の円盤状のサイドディスク（３）を装着すると共に、このサイドディスク（３）の外側に前記耕耘爪（１）の回転径よりも大径の移動用車輪（４）を取り付ける歩行型耕耘機において、前記サイドディスク（３）に複数の貫通穴（５…）を円周方向に配置し、前記移動用車輪（４）を、前記複数の貫通穴（５…）に対しピン部材（６）を挿通させて固定したことを特徴とする歩行型耕耘機の車輪取付構造とした。
（請求項１の作用）
以上のように構成した請求項１の発明では、サイドディスク（３）に対し、ピンプ材（６）が貫通されて移動用車輪（４）が固定される。
【０００７】
また請求項２の発明では、前記ピン部材（６）には、前記サイドディスク（３）を移動用車輪（４）側へ付勢する付勢手段（７）を備えたことを特徴とする請求項１に記載の歩行型耕耘機の車輪取付構造とした。
（請求項２の作用）
以上のように構成した請求項２の発明では、付勢手段（７）よりサイドディスク（３）を移動用車輪（４）側へ押圧しつつ、ピン部材（６）の貫通により移動用車輪（４）が固定される。
【０００８】
また請求項３の発明では、前記ピン部材（６）及び付勢手段（７）は、移動用車輪と共に一体的に構成したことを特徴とする請求項２に記載の歩行型耕耘機の車輪取付構造とした。
（請求項３の作用）
以上のように構成した請求項３の発明では、ピン部材（６）及び付勢手段（７）は、移動用車輪（４）は一体的に持ち運びされ、付勢手段（７）よりサイドディスク（３）を移動用車輪（４）側へ押圧しつつ、ピン部材（６）の貫通により移動用車輪（４）が固定される。
【０００９】
【発明の効果】
以上のように構成した請求項１乃至請求項３の発明では、移動用車輪（４）は、サイドディスク（３）といった薄い部材に貫通させた穴にピン部材（６）を相通して固定するものであるから、従来のように耕耘軸内に移動用車輪の支持軸を挿通する構成、即ち深く且つ一方が閉じている取付穴に固定する構成と比較して、泥土が付着してもディスク（３）の表裏から簡単に除去することができて、車輪の取付操作が容易である。
【００１０】
また請求項２の発明では、移動用車輪（４）が軸方向に移動するのを付勢手段（７）により規制する構成である為、例えばボルトやネジにて締め付ける構成と比較して、車輪の取付操作が容易である。
また請求項３の発明では、請求項２の効果に加え、ピン部材（６）及び付勢手段（７）が移動用車輪（４）に備え付けられているので、移動用車輪（４）に係る部品を夫々別体で構成することと比較して、部品を紛失することも無く取扱い性が良い。
【００１１】
【発明の実施の形態】
以下、図面に基づきこの発明の実施の形態を説明する。
歩行型耕耘機Ｔは、図２及び図３に示すように、所謂車軸耕耘型の耕耘機であって、機体前部にエンジン取付フレーム１１を配設し、同フレーム１１の左右前部間にバンパー１２を設けると共に、同フレーム１１上面にプレート部材を架け渡してエンジンＥを搭載する構成となっている。また、同エンジンＥの上部には、燃料タンク１３を設け、同タンク１３内の燃料を燃焼してエンジンＥを駆動する構成となっている。
【００１２】
また前記エンジンＥの一側部には、リコイルスタータを設け、スタータハンドル１４の引っ張り操作によって、前記エンジンを始動する構成となっている。
また前記エンジンＥの他側部には、マフラー１５やチェーンケース１６を設け、同チェーンケース１６内には、チェーンやスプロケット等の伝動機構を内装し、エンジンＥの回転動力を機体後部のミッションケース１７へ伝達する構成となっている。
【００１３】
また、前記ミッションケース１７の後部には、耕耘軸２の回転を変速する変速レバー１８を突設すると共に、ハンドル取付ブラケット１９を介して二股状のハンドル２０を支持する構成となっている。
また前記ハンドル２０のグリップ部には、クラッチレバー３０を設け、同レバー３０を前後に操作することで、前記ミッションケース１７内のクラッチを入切し、前記耕耘軸２への動力伝達を入切する構成となっている。
【００１４】
これにより、この耕耘機Ｔを路上で移動させるときには、耕耘軸２への伝達動力を切りとして、自由回転させることができる。
ここで前記ハンドル２０について説明する。
ハンドル２０は、前記ブラケット１９に対し、ノブボルト２１の抜き差しにより着脱自在に構成され、図４に示すように、別形態のハンドル２０’を取付可能な構成となっている。
【００１５】
この別形態のハンドル２０’（図中（Ｂ））は、樹脂材をブロー成形して構成され、前記ブラケット１９に取り付ける一本状の下部フレーム２２ａと、この下部フレーム２２ａの上端に取り付ける二股状の上部フレーム２２ｂとから成り、両フレーム２２ａ，２２ｂをボルトにて連結する構成となっている。そして、前記上部フレーム２２ｂの下部には、ブロー成形した中空部を利用し、燃料サブタンク２３を形成し、前記機体側の燃料タンク１３とパイプ２４を介して連通する構成となっている。
【００１６】
これにより、耕耘機Ｔの燃料タンクの容量を増加することができ、長時間に亘って作業を継続することができる。
尚、前記耕耘機Ｔでは、前記車体側の燃料タンク１３を廃止し、ハンドル側のタンク２３だけを搭載しても良い。これにより、部品点数を削減したり、重量を軽減、或いは車体をコンパクトに構成することができる。
【００１７】
また前記ハンドル取付ブラケット１９の下部には、各種アタッチメントを取付けるアタッチメント取付ブラケット３１を設け、図例では抵抗棒３２を装着する構成となっている。
次に、この発明の要部となる耕耘機Ｔの耕耘部及び移動用車輪４について説明する。
【００１８】
前記ミッションケース１７の下部左右には、図１（耕耘爪部は展開図）に示すように、耕耘軸２を突設し、この左右夫れ夫れの耕耘軸２に、複数の耕耘爪１…を有する内外の筒体３５ａ，３５ｂを挿通し、ピンにより固定する構成となっている。また前記外側の筒体２５ｂには、耕耘時、同筒軸３５ｂに草が巻き付くのを防止する所謂巻付防止プレート３６を設ける構成となっている。
【００１９】
そして前記外筒３５ｂの端部には、前記耕耘爪１の回転径よりも小径で且つ車体内側に湾曲させたサイドディスク３を設けている。これにより、耕耘時の直進性を向上させたり、湿田での作業時に過剰な沈み込みを防止することができる。
また前記サイドディスク３の外周縁部には、車体外方向に面する平面部３ａを形成すると共に、この平面部３ａに長穴状の貫通穴５を回転中心に対して三等配に配置する構成となっている。
【００２０】
一方、移動用車輪４は、全体を樹脂部材で構成し、この車輪４内側に６本のスポーク部４ａを形成すると共に、この内の３本のスポーク部４ａに、貫通穴９を開口して、ピン部材となる固定ピン６を回転自在に支持する構成となっている。
前記固定ピン６は、車輪内側の突出部を摘み部６ａとし、前記サイドディスク３側の長孔状の貫通穴５に挿通できるよう長方形状に形成すると共に、車輪外側の突出部に付勢部材となるスプリング７を巻装し、前記摘み部を６ａを車輪側（車体外側）へ付勢する構成となっている。
【００２１】
以上のように構成した耕耘機Ｔに移動用車輪４を取り付ける時には、前記サイドディスク３の貫通穴５に前記固定ピン６を挿通させながら、移動用車輪４をサイドディスク３側へ押し当てる。その後、前記各貫通穴５から固定ピン６が外れないように、同ピン６の摘み部６ａを９０度回転させて、この摘み部６ａをサイドディスク３に係止させる。
【００２２】
これにより、移動用車輪４はサイドディスク３に取り付けられる。そしてこの取付穴は、サイドディスク３に貫通させた構成であるから、従来のように耕耘軸内に移動用車輪の支持軸を挿通する構成、即ち軸に沿って深く且つ一方が閉じている取付穴に移動用車輪の支軸を挿通する構成と比較して、泥土が付着してもディスク３の表裏からこれを除去し易く、車輪の取付操作が容易である。
【００２３】
また、移動用車輪４が軸方向に移動するのを固定ピン６とスプリング７により規制する構成である為、例えばボルトやネジにて締め付ける構成と比較して、構成が簡単で且つ車輪４の取付操作が容易である。
また更に、固定ピン部材６及びスプリング７が移動用車輪４に備え付けられているので、移動用車輪４に係る部品を夫々別体で構成することと比較して、各部品を紛失することも無く取扱い性が良い。
【００２４】
尚、前記耕耘機Ｔは、サイドディスク３を常設した構成となっているが、これを耕耘軸に対し着脱自在に構成しても良いし、前記貫通穴５の位置は、円周方向に等分配置であれば何個所でも良い。
次に前記移動用車輪４の取付構成の別形態について図５に基づいて説明する。
【００２５】
図５では、サイドディスク３側に円形状の貫通穴５’を開口する一方、これと対向して、車輪４にも、このスポーク部４ａに貫通穴９’を形成し、この各貫通穴９’の円周外側にシーソー式回動片８を取り付け、同片８をスプリング７’により車輪側（車体外側）に付勢する構成となっている。また前記回動片８の一端部は、屈曲させて操作部６ａ’とし、他端部は車体外側に突設するピン部６’（ピン部材に相当）を形成する構成となっている。
【００２６】
以上のように構成した耕耘機Ｔでは、まず１つのピン部６’とこれと対向する貫通穴９’との間にサイドディスク３を差し込み、このピン部６’をディスク３の貫通穴５に挿通し、移動用車輪４の貫通穴５に貫入させる。そして残りのピン部６’も同様に、移動用車輪４の貫通穴９’に貫入させて、移動用車輪４をサイドディスク３に固定する。
【００２７】
これにより、前記同様、従来の構成と比較して、車輪の取付操作が容易であり、また取付に係る各部品を紛失することも無く取扱い性が良い。
また更に、前記別形態では、ピン部６’とこれと対向する貫通穴９’との間にサイドディスク３を差し込み、回動片８から指を離すだけでピン部６’が貫通穴５’を貫通してサイドディスク３を挟持及び係止するので、前記よりも増して車輪の取付操作が容易である。
【００２８】
また図６に示す別形態は、前記耕耘機Ｔの耕耘軸２にスパイラルロータ４０を取り付けたもので、このロータ４０の両端部にサイドディスク４１を取り付け、同ディスク４１に前記同様の車輪取付用の長孔若しくは円形状の貫通穴４２…を設けて、上記移動用車輪４を取り付ける構成となっている。
【００２９】
また前記スパイラルロータ４０の各掘削刃は、図７に示すように、回転方向における法線と平行な向きの平行刃４０ａと、同法線に対し一定角度傾斜させた立刃４０ｂを交互に備える構成となっている。
これにより、作業時には平行刃４０ａよる浮力と立刃４０ｂによる杭込み力とをバランスさせて圃場の状態に因らず除草作業を行うことができる。
【図面の簡単な説明】
【図１】移動用車輪の取付部拡大図。
【図２】耕耘機の全体側面図と移動用車輪の側面図。
【図３】耕耘機の全体正面図。
【図４】（Ａ）耕耘機のハンドル部の斜視図。
（Ｂ）別形態のハンドル部の斜視図。
（Ｃ）上記別形態のハンドル部のタンクを示す斜視図。
【図５】取付構成の別実施例。
【図６】耕耘機の形態を示す図。
【図７】図６のスパイラルロータの掘削刃を示す側面図。
【符号の説明】
Ｔ  耕耘機
Ｅ  エンジン
１  耕耘爪
２  耕耘軸
３  サイドディスク
３ａサイドディスクの平面部（外周縁部）
４  移動用車輪
５  貫通穴
６  ピン部材（固定ピン）
７  スプリング
【図１】
2004201621.tif 000003
【図２】
2004201621.tif 000004
【図３】
2004201621.tif 000005
【図４】
2004201621.tif 000006
【図５】
2004201621.tif 000007
【図６】
2004201621.tif 000008
【図７】
2004201621.tif 000009